(57)【要約】【課題】汚れが生じ難く、床面と便器本体によって形成される空間内で生じる漏水や結露を検知し得る床置き式便器を提供する。【解決手段】床置き式便器１０は、周状の下端面４２を有し、床面Ｆ上に載置された状態で床面Ｆと閉じた空間Ｓを形成する便器本体２０と、下端面４２と床面Ｆとの間に介在するシール材６０と、を備えている。シール材６０は、下端面４２に沿う周方向の少なくとも１箇所に、空間Ｓが開放される開放部６１が形成されている。【選択図】図３
2019143420.tif 000002
【特許請求の範囲】
【請求項１】
床面上に取り付けられる床置き式便器であって、
周状の下端面を有し、前記床面上に載置された状態で前記床面と閉じた空間を形成する便器本体と、
前記下端面と前記床面との間に介在するシール材と、
を備え、
前記シール材は、前記下端面に沿う周方向の少なくとも１箇所に、前記空間が開放される開放部が形成されていることを特徴とする床置き式便器。
【請求項２】
前記開放部は、前記便器本体における後端側に形成されている請求項１に記載の床置き式便器。
【請求項３】
前記便器本体は、前記下端面の外周側に前記シール材を収納する凹部が形成され、
前記凹部は、前記シール材を係止する係止部が設けられている請求項１又は請求項２に記載の床置き式便器。
【請求項４】
前記シール材は、前記便器本体の外周面よりも外側に突出していない請求項１乃至請求項３のいずれか１項に記載の床置き式便器。
【発明の詳細な説明】
【技術分野】
【０００１】
本発明は床置き式便器に関するものである。
【背景技術】
【０００２】
特許文献１は、従来の便器が開示されている。この便器は、便器本体が床面上に載置され、床面に当接する便器本体の周縁部と床面との間がシール材によって封止されている。シール材は、便器本体の周縁部の外面下部と床面との間に密着しながら介在している。これにより、この便器は、便器本体と床面との間に尿や水が入り込み難く、汚れが生じることを防いでいる。
【先行技術文献】
【特許文献】
【０００３】
【特許文献１】特開２００６−２４９７５８号公報
【発明の概要】
【発明が解決しようとする課題】
【０００４】
しかしながら、特許文献１の便器は、便器本体の周状の周縁部と床面との間に、シール材が連続して隙間埋めされた状態で配置されるため、便器本体と床面との間に閉じた空間が形成されている。そのため、この便器は、空間内で漏水や結露が生じた場合に、水が空間内に留まることになり、空間の外部へと流れ出ることがない。これにより、特許文献１の便器は、便器本体と床面とによって形成される空間内で漏水や結露が生じた場合に、検知することが困難であった。
【０００５】
本発明は、上記従来の実情に鑑みてなされたものであって、汚れが生じ難く、床面と便器本体によって形成される空間内で生じる漏水や結露を検知し得る床置き式便器を提供することを解決すべき課題としている。
【課題を解決するための手段】
【０００６】
本発明の床置き式便器は、
床面上に取り付けられる床置き式便器であって、
周状の下端面を有し、前記床面上に載置された状態で前記床面と閉じた空間を形成する便器本体と、
前記下端面と前記床面との間に介在するシール材と、
を備え、
前記シール材は、前記下端面に沿う周方向の少なくとも１箇所に、前記空間が開放される開放部が形成されていることを特徴とする。
【０００７】
この床置き式便器は、シール材が便器本体の下端面と床面との間に介在する部分では、便器本体の下端面と床面との間に尿や水が入り込むことを防ぐことができる。その上で、床置き式便器は、シール材において下端面に沿う周方向の少なくとも１箇所に、床面と便器本体とによって形成される空間が開放される開放部が形成されている。そのため、床置き式便器は、空間内で漏水や結露が生じた場合でも、開放部から水を外側に流れ出させることができる。これにより、床置き式便器は、空間内で生じる漏水や結露水を検知することができる。
【図面の簡単な説明】
【０００８】
【図１】実施例１に係る床置き式便器を示す分解斜視図である。
【図２】図１の床置き式便器の底面斜視図である。
【図３】図１の床置き式便器の側断面図である。
【図４】図１の便器本体の後端側の下端面が床面上に位置している状態を示す右側から見た断面図である。
【図５】図１の便器本体の下端面と床面との間にシール材が介在している状態を示す正面側から見た断面図である。
【図６】実施例２に係る便器本体の下端面と床面との間にシール材が介在している状態を示す正面側から見た断面図である。
【発明を実施するための形態】
【０００９】
本発明における好ましい実施の形態を説明する。
【００１０】
本発明の床置き式便器の前記開放部は、前記便器本体における後端側に形成され得る。
この場合、この床置き式便器は、前端側において下端面と床面との間にシール材が連続的に介在するため、前端側に尿飛沫などが伝わる場合でも、下端面と床面との間に入り込むことを防ぐことができる。また、床置き式便器は、開放部は、便器本体における後端側に形成されることで、前端側から開放部が視認し難く、見栄えを良くすることができる。
【００１１】
本発明の床置き式便器の前記便器本体は、前記下端面の外周側に前記シール材を収納する凹部が形成され、
前記凹部は、前記シール材を係止する係止部が設けられ得る。
この場合、この床置き式便器は、シール材を凹部に収納することで、シール材が視認し難くなるため、見栄えを良くすることができる。その上で、床置き式便器は、シール材が係止部に係止するため、シール材が外れ難くなる。
【００１２】
本発明の床置き式便器の前記シール材は、前記便器本体の外周面よりも外側に突出していないようにし得る。
この場合、この床置き式便器のシール材は、便器本体の外周面よりも外側に突出していないため、外側から引っ掛かり難く、外れ難くなる。また、この床置き式便器は、外側から視認し難くなり、見栄えを良くすることができる。
【００１３】
次に、本発明の床置き式便器を具体化した実施例１について、図面を参照しつつ説明する。
【００１４】
＜実施例１＞
実施例１の床置き式便器１０（以下、単に便器１０ともいう）は、トイレルームの床面Ｆ上に設置される床置き式の水洗式便器である。便器１０は、図１、図２に示すように、便器本体２０、及びシール材６０を備えている。便器本体２０は、周状の下端面４２を有している。便器本体２０は、図３に示すように、下端面４２が床面Ｆに対向するように、床面Ｆ上に載置されている。便器本体２０は、下端面４２と床面Ｆとの間に介在するシール材６０によって、床面Ｆに密着されている。
【００１５】
便器本体２０は、図１、図２に示すように、便鉢部２１、リム部２３、周壁部３０、上壁部２４、タンク載置部２５、及び排水管５０を備えている。便鉢部２１、リム部２３、周壁部３０、上壁部２４、タンク載置部２５、および排水管５０は、陶器製であり、一体的に形成されている。
【００１６】
本明細書では、上壁部２４の壁面と直交する方向が上下方向であり、便鉢部２１の開口側が上方側であり、それとは反対側が下方側である。便器本体２０において便鉢部２１が形成される側が前方側であり、それとは反対側が後方側である。上下方向及び前後方向に直交する方向が左右方向であり、便鉢部２１を前方側から見たときの左手側が左側であり、右手側が右側である。
【００１７】
便鉢部２１は、上端部が略楕円形状に開口した椀形状である。便鉢部２１は、後述するリム部２３の内周縁部から下方に延出している。便鉢部２１は、図３に示すように、洗浄水が吐水される吐水口２２が形成されている。便鉢部２１は、後述する排水管５０に連通している。
【００１８】
リム部２３は、便鉢部２１の上端外周部に連続して設けられている。リム部２３は、後端部が上壁部２４に連なっている。上壁部２４は、略水平をなすように形成された壁である。上壁部２４の後方には、洗浄タンク（図示略）が載置されるタンク載置部２５が設けられている。リム部２３の上面には、便座（図示略）が載置される。
【００１９】
周壁部３０は、便器本体２０の外郭を構成する壁部である。周壁部３０は、前側壁部３１、後側壁部３３、及び下側壁部４０を備えている。前側壁部３１は、外周側から便鉢部２１を囲んでいる。前側壁部３１は、後述する排水管５０の導入路５１の後方側の壁部を構成している。後側壁部３３、タンク載置部２５の下方で、後述する排水管５０の下降流路５３を囲むように形成されている。後側壁部３３は、下降流路５３の前方側の壁部を構成している。
【００２０】
下側壁部４０は、便器本体２０の下端部を構成している。下側壁部４０は、前側壁部３１の下端部、及び後側壁部３３の下端部に連なる周状の壁部である。下側壁部４０は、内壁部４３、及び凹部４５が形成されている。内壁部４３は、図３に示すように、下側壁部４０の前側の下端部４１から便鉢部２１の下面に伸びている。内壁部４３は、便鉢部２１を下方側から支持している。
【００２１】
凹部４５は、図２、図３、図５に示すように、下端面４２の外周側において、シール材６０を収納可能に形成されている。凹部４５は、図２〜図５に示すように、下側壁部４０の下端部全体の外周部分において、上方に凹んでいる。凹部４５は、シール材６０を係止する係止部４６が形成されている。係止部４６は、凹部４５内における内周側（上方側の内側端部）において、上方に凹んでいる。
【００２２】
排水管５０は、上流端が便鉢部２１の下端部に連結されている。つまり、排水管５０は便鉢部２１に連通している。排水管５０は、導入路５１、上昇流路５２、及び下降流路５３を備えている。導入路５１は、上流端部が便鉢部２１の下端部に連結され、後方に向けて下方に傾斜して伸びている。上昇流路５２は、上流端部が導入路５１の下流端部に連結され、後方に向けて上方に傾斜して延びている。下降流路５３は、上流端部が上昇流路５２の下流端部に連結され、後方に向けて下方に傾斜して延びている。下降流路５３は、図３に示すように、トイレルームにおける後方側の壁面から引き出された壁側排水管５４に連結されている。
【００２３】
便鉢部２１は、導入路５１の上端部とともに溜水部２６を構成している。溜水部２６は、便鉢部２１に沿って流下する洗浄水が滞留する。
【００２４】
シール材６０は、例えば、乾式の部材であり、弾性変形可能なゴム等からなるパッキン部材からなる。シール材６０は、図１、図２に示すように、周状であり、周方向の１箇所に後述する開放部６１が形成されている。開放部６１は、シール材６０において周方向における切れ目を構成する部分であり、シール材６０の両端部を構成する部分でもある。シール材６０は、図１に示すように、断面が略Ｌ字形状であり、周方向に沿って上方に突出する突出部６２が形成されている。シール材６０は、外周側において内周側に向かって凹む凹部６３が形成されている。
【００２５】
次に、実施例１の便器１０の床面Ｆへの取り付けについて説明する。
便器本体２０は、図３に示すように、下端面４２が床面Ｆと対向するように、床面Ｆ上に載置される。便器本体２０は、床面Ｆ上に載置された状態で床面Ｆと閉じた空間Ｓを形成する。具体的には、便鉢部２１、後側壁部３３、下側壁部４０、及び排水管５０は、床面Ｆとともに下端部４１側において閉じた空間Ｓを形成する。
【００２６】
シール材６０は、図３〜図５に示すように、下端面４２と床面Ｆとの間に嵌め込まれる。これにより、便器１０は、シール材６０が凹部４５に収納される。そのため、シール材６０が視認し難くなり、見栄えが良くなる。シール材６０の突出部６２は、凹部４５の係止部４６に嵌め込まれる。これにより、シール材６０は、突出部６２の外側への移動が係止部４６によって規制されるため、凹部４５から外れ難くなる。なお、図４に示すように、便器本体２０の後端側の下端面４２と床面Ｆとの間には、シール材６０が介在していない。すなわち、シール材６０の開放部６１が、便器本体２０の後端側に位置している。
【００２７】
シール材６０は、図５に示すように、下側壁部４０の外周面４７よりも外側に突出していない。すなわち、シール材６０の凹部６３は、下側壁部４０の外周面４７よりも内側に位置している。これにより、シール材６０は、外側から引っ掛かり難く、便器本体２０から外れ難くなる。また、便器１０は、シール材６０が外側から視認し難くなるため、見栄えが良くなる。
【００２８】
以上のように、便器本体２０は、下端面４２と床面Ｆとの間にシール材６０が嵌め込まれることによって、下端面４２と床面Ｆとの間に隙間が生じなくなる。そのため、便器１０は、尿や水が外周面４７を伝わる場合等において、便器本体２０の下端面４２と床面Ｆとの間に尿や水が入り込むことを防ぐことができる。
【００２９】
シール材６０は、図２〜図４に示すように、開放部６１が便器本体２０の後端側に位置している。これにより、開放部６１は、下端面４２に沿う周方向の１箇所（後端側の部分）において空間Ｓを開放している。そのため、便器１０は、空間Ｓ内で漏水や結露が生じた場合でも、図３、図４に示す矢印Ｔ１に示すように、開放部６１から水を外側に流れ出させることができる。したがって、便器１０は、空間Ｓ内で生じる漏水や結露水を検知することができる。特に、便器１０は、開放部６１が便器本体２０における後端側に形成されることで、前端側から開放部６１が視認し難くなり、見栄えが良くなる。
【００３０】
シール材６０は、従来のように環状で継ぎ目のない形状ではなく、開放部６１（端部）が形成されている。そのため、便器１０の解体の際や、シール材６０の汚れによる交換の際等において、シール材６０の開放部６１（端部）を引っ張ることで、便器本体２０を床面Ｆから取り外すことなく、便器本体２０から容易に剥がすことができる。また、シール材６０は、従来のように環状で継ぎ目のない形状ではなく、便器本体２０が壁際の床面Ｆ上に取り付けられることで後方側に作業空間がない場合にも、容易に凹部４５に嵌め込むことができる。すなわち、シール材は、従来の構成では、継ぎ目を無くすために便器本体２０の後方側で継ぎ目を重ねて加圧する作業が必要であったが、本実施例１のシール材６０では、このような作業を省略できる。
【００３１】
以下、本構成の効果を例示する。
実施例１の便器１０は、シール材６０が便器本体２０の下端面４２と床面Ｆとの間に介在する部分では、便器本体２０の下端面と床面Ｆとの間に尿や水が入り込むことを防ぐことができる。その上で、便器１０は、シール材６０において下端面４２に沿う周方向の少なくとも１箇所に、床面Ｆと便器本体２０とによって形成される空間Ｓが開放される開放部６１が形成されている。そのため、便器１０は、空間Ｓ内で漏水や結露が生じた場合でも、図３に示す矢印Ｔ１のように、開放部６１から水を外側に流れ出させることができる。これにより、便器１０は、空間Ｓ内で生じる漏水や結露水を検知することができる。
【００３２】
また、開放部６１は、便器本体２０における後端側に形成されている。これにより、この便器１０は、前端側において下端面４２と床面Ｆとの間にシール材６０が連続的に介在するため、前端側に尿飛沫などが伝わる場合でも、下端面４２と床面Ｆとの間に入り込むことを防ぐことができる。また、便器１０は、開放部６１は、便器本体２０における後端側に形成されることで、前端側から開放部６１が視認し難く、見栄えを良くすることができる。
【００３３】
また、便器本体２０は、下端面４２の外周側にシール材６０を収納する凹部４５が形成されている。凹部４５は、シール材６０を係止する係止部４６が設けられている。これにより、便器１０は、シール材６０を凹部４５に収納することで、シール材６０が視認し難くなるため、見栄えを良くすることができる。その上で、床置き式便器１０は、シール材６０が係止部４６に係止するため、シール材６０が外れ難くなる。
【００３４】
また、シール材６０は、便器本体２０の外周面よりも外側に突出していない。これにより、便器１０のシール材６０は、便器本体２０の外周面よりも外側に突出していないため、外側から引っ掛かり難く、外れ難くなる。また、便器１０は、外側から視認し難くなり、見栄えを良くすることができる。
【００３５】
＜実施例２＞
次に、実施例２について説明する。
実施例２の床置き式便器１０は、主に便器本体２０にシール材６０を嵌め込む凹部４５を設けない点が実施例１と異なる。その他の構成は実施例１と同一であり、同一の構成は同一の符号を付し、詳細な説明を省略する。
【００３６】
実施例２の便器１０は、図６に示すように、便器本体２０の下端面４２が平坦になっている。シール材６０は、周状であり、断面が略四角形である。シール材６０は、実施例１と同様に、周方向の１箇所（後端側の部分）に開放部６１（図１、図２参照）が形成されている。シール材６０は、実施例１と同様に、外周側において内周側に向かって凹む凹部６３が形成されている。
【００３７】
次に、実施例２の便器１０の床面Ｆへの取り付けについて説明する。
シール材６０は、例えば、その上面に予め両面テープ又は接着剤を設けておき、この両面テープ又は接着剤を介して便器本体２０の下端面４２に仮固定しておく。このような状態の便器本体２０は、床面Ｆの所定位置に載置されることで、床面Ｆにシール材６０の底面が当接する。シール材６０は、便器本体２０に押し潰されるように、便器本体２０の下端面４２と、床面Ｆに密着状態となる。このようにして、便器１０が床面Ｆ上に取り付けられる。
【００３８】
このような構成であっても、実施例１と同様に、便器１０は、下端面４２と床面Ｆとの間に隙間が生じなく、便器本体２０の下端面４２と床面Ｆとの間に尿や水が入り込むことを防ぐことができる。その上で、便器１０は、空間Ｓ内で漏水や結露が生じた場合でも、開放部６１から水を外側に流れ出させることで、空間Ｓ内で生じる漏水や結露水を検知することができる。
【００３９】
また、シール材６０の凹部６３は、下側壁部４０の外周面４７よりも内側に位置している。これにより、シール材６０は、外側から引っ掛かり難く、便器本体２０から外れ難くなる。また、便器１０は、シール材６０が外側から視認し難くなるため、見栄えが良くなる。
【００４０】
本発明は上記記述及び図面によって説明した実施例に限定されるものではなく、例えば次のような実施例も本発明の技術的範囲に含まれる。
（１）実施例１，２では、シール材６０は、周方向において後方側の１箇所に開放部６１が形成されていたが、開放部６１の数や位置はこれに限定されない。
（２）実施例１，２では、シール材６０は、乾式の部材であったが、湿式の部材であってもよい。例えば、シール材６０は、シリコンを主成分とする液状または粘土状のシール材であってもよい。この場合、実施例１では、シール材６０は、下端面４２と床面Ｆとの間に配置される際に、外周側から押圧されることで、下側壁部４０の外周面４７よりも外側に突出しないようにできる。また、シール材６０は、便器本体２０によって十分に圧縮されるものであれば、圧縮前の形状が中空状のものであってもよい。
（３）実施例１では、便器本体２０の凹部４５は、上方に凹む係止部４６が形成されていたが、係止部４６を設けない構成や、実施例１とは異なる形状の係止部が形成されていてもよい。
（４）実施例２では、シール材６０は、シール材６０の切れ目を構成するように開放部６１が形成されていたが、周方向と直交する方向に貫通するような開放部６１が形成されてもよい。例えば、シール材６０は、環状に形成され、後端側における左右方向の端部（後方側の角部）において周方向と直交する方向に貫通する一対の開放部６１が形成されていてもよい。
（５）実施例１では、便器本体２０を床面Ｆ上に載置した後に、シール材６０を下端面４２と床面Ｆとの間に嵌め込む工程を示した。しかしながら、便器本体２０を床面Ｆ上に載置する前に、予めシール材６０を便器本体２０の下端面４２（具体的には、凹部４５内）に取り付けておいてもよい。
【符号の説明】
【００４１】
１０…便器（床置き式便器）
２０…便器本体
４２…下端面
４５…凹部
４６…係止部
６０…シール材
６１…開放部
Ｆ…床面
Ｓ…空間
【図１】
2019143420.tif 000003
【図２】
2019143420.tif 000004
【図３】
2019143420.tif 000005
【図４】
2019143420.tif 000006
【図５】
2019143420.tif 000007
【図６】
2019143420.tif 000008